(57)【要約】【課題】  構造が単純でありながら見た目にも美しく、かつ、落ちにくいイヤリングとするために、開口部に突起を設けたイヤリングを提供する。【解決手段】  棒状部材の先端部と後端部を対抗するように筒状に折り曲げた形状のイヤリング本体（１）の破線部分に、開口部（２）の実線部分を設け、かつ、その開口部の内側に突起物（３Ａ）、（３Ｂ）、および突起物（４Ａ）、（４Ｂ）を設けたことを特徴とスルイヤリング。【選択図】図１
2010148835.tif 000002
【特許請求の範囲】
【請求項１】
棒状部材の先端部と後端部を対抗するように筒状に折り曲げた形状のイヤリング本体（１）の破線部分に、開口部（２）の実線部分を設け、かつ、その開口部の内側に突起物（３Ａ）、（３Ｂ）、および突起物（４Ａ）、（４Ｂ）を設けたことを特徴とするイヤリング。
【請求項２】
請求項１記載のイヤリング本体（１）の破線部分に、開口部（５）の実線部分を設けたイヤリング。
【発明の詳細な説明】
【技術分野】
【０００１】  この発明は、装飾用のイヤリング本体の一部の構造に工夫をすることにより、落ち難く、両面使用を可能とし、また装飾性の様々な変化を実現可能にしたイヤリングに関するものである。
【背景技術】
【０００２】  従来のイヤリングは、耳たぶに装着して使用するため、主に装飾のほどこされている片面を際立たせるためにもう一方の面を装着用の留め金具とする必要があり、その留め金具により耳たぶを挟む形状が主流であった。
【特許文献１】  実開昭６１−２１３０９号
【特許文献２】  実開昭６２−３９５０８号
【特許文献３】  特開平１０−９９１１０号
【発明の開示】
【発明が解決しようとする課題】
【０００３】  従来のイヤリングには、以下のような欠点があった。
（イ）留め金具の部分が目立ち、背後からの視線にさらされる際の装飾性が考慮されていない。
（ロ）また、その留め金具の構造上（ネジ式・バネ式で耳たぶを挟んで留める）、長時間にわたる装着の際に痛くなる等の不都合があった。
（ハ）リング状のイヤリングに耳たぶを挿入して挟むタイプのイヤリングでは、構造上、下方向や横方向に引っ張ると、イヤリングが耳たぶを滑って、直ぐに外れてしまう不都合があった。
（二）留め金具などイヤリング本体の構造上の都合により、別途（任意で）後付で装飾パーツをイヤリング本体に組み合せる際に、その後付の装飾パーツとイヤリング本体の一体感が実現されずにいた。
本発明は、以上のような欠点を解消するためになされたものである。
【課題を解決するための手段】
【０００４】  上記の欠点を解決させるために、棒状部材の先端部と後端部を対抗するように筒状に折り曲げた形状のイヤリング本体（１）の破線部分に、開口部（２）の実線部分を設け、かつ、その開口部の内側に突起物（３Ａ）、（３Ｂ）、および突起物（４Ａ）、（４Ｂ）を設ける。
以上の構成からなるイヤリングである。【０００５】  また、請求項２に係るイヤリングは請求項１記載のイヤリングにおいて、イヤリング本体（１）の破線部分に、開口部（５）の実線部分を設ける。
以上の構成よりなる新しいイヤリングである。
【発明の効果】
【０００６】  本発明により、
（イ）簡単な構造でありながら、装着が容易で、かつ、落ち難く、長時間の装着をしていても痛くなるなどの不都合がない。
（ロ）簡単な構造である上、イヤリングの前面、裏面の両面の装飾性を十分に実現することが可能となるので、装飾性・デザイン性の異なる２組分（２種類）のイヤリングを所有するのと同じ効果があり経済的である。【０００７】  また本発明のイヤリング（請求項２）は請求項１記載のイヤリングにおいて、任意ではあるが、開口部から別途の後付の装飾パーツを挿入する事によって、イヤリングの装飾性をほぼ無限に変化させることが可能となる。
【発明を実施するための最良の形態】
【０００８】  以下に本発明を実施するための最良の形態について、「実施の形態１」、「実施の形態２」の順で、図面を参照して詳細に説明をする。
【実施の形態１】
【０００９】  図１、図２、図３、図４、図５、図６は、「実施の形態１」のイヤリングの構造を示し、棒状部材の先端部と後端部を対抗するように筒状に折り曲げた形状のイヤリング本体（１）の破線部分に、開口部（２）の実線部分を設け、その開口部の内側に突起物（３Ａ）、（３Ｂ）、および突起物（４Ａ）、（４Ｂ）を設け、かつ開口部（５）の実線部分を設ける。
以上のように構成されたイヤリングである。
【００１０】  また、装飾品として使用されるイヤリングの性質上、破線部分と実線部分で囲まれたイヤリングの本体の範囲には種々の彫金および石留め技法が施されることになるのは言及するまでもなく、その形状を特に限定するものではないので開口部（２）、開口部（５）の形状もその影響を受ける。
【００１１】  また、同時に突起物（３Ａ），（３Ｂ）の形状および（４Ａ）、（４Ｂ）の数もそれぞれ開口部（２）の形状によって変化するものとする。
開口部（２）、および突起物（３Ａ），（３Ｂ）と突起物（４Ａ）、（４Ｂ）の主な装飾例としては、図７（１−ａ）、（１−ｂ）、（１−ｃ）、（２−ａ）、（２−ｂ）、（２−ｃ）なども示されるが、その他は図示を省略する。
【００１２】  開口部（５）の主な装飾例としては、図８（ａ）、（ｂ）、（ｃ）なども示されるが、その他は図示を省略する。
【実施の形態２】
【００１３】  図９（ａ）、（ｂ）、（ｃ）は、実施の形態１のイヤリングに後付けパーツ（６）（ここではパール）を組み合せる際の例を示す。
本発明は、以上のような構造である。
【００１４】  これを使用するときは、開口部のある面の装飾を正面にするか、開口部のない面の装飾を正面にするかは任意であり、そこに選択する楽しみがある。
また、同時に後付けのパーツを「組み合せる・しない」もＴ．Ｐ．Ｏ．にあわせて選択すれば良いのである。
【図面の簡単な説明】
【００１５】
【図１】  本発明のイヤリングの構造を示した側面図である。
【図２】  本発明のイヤリングの構造を示した斜視図である。
【図３】  本発明のイヤリングの構造を示した正面図である。
【図４】  本発明のイヤリングの構造を示した裏面図である。
【図５】  本発明のイヤリングの構造を示した上部から見た平面図である。
【図６】  本発明のイヤリングの構造を示した上部から見た底面図である。
【図７】  実施の形態１のイヤリングの開口部（２）、および突起物（３Ａ），（３Ｂ）と突起物（４Ａ）、（４Ｂ）の形状例を示した説明図である。
【図８】  実施の形態１のイヤリングの開口部（５）の形状例を示した説明図である。
【図９】  実施の形態２のイヤリングの構造を示した説明図である。
【符号の説明】
【００１６】１            イヤリング本体
２            開口部
３Ａ、３Ｂ    突起物
４Ａ、４Ｂ    突起物
５            開口部
６            後付けパーツ
【図１】
2010148835.tif 000003
【図２】
2010148835.tif 000004
【図３】
2010148835.tif 000005
【図４】
2010148835.tif 000006
【図５】
2010148835.tif 000007
【図６】
2010148835.tif 000008
【図７】
2010148835.tif 000009
【図８】
2010148835.tif 000010
【図９】
2010148835.tif 000011